(57)【特許請求の範囲】
【請求項１】
パン部分とその両側の版サイド部分とからなるグラビア印刷機のインキパンに掛けるためのカバーであって、熱融着可能なフィルムを用いてヒートシールにより成形され、前記パン部分を覆う平坦状のパンカバー部とその両側に前記版サイド部分に被さる袋状のサイドカバー部とを備えてなることを特徴とするインキパンカバー。
【請求項２】
インキパンのインキドレイン部分に対応して前記パンカバー部にドレイン部を設けた請求項１に記載のインキパンカバー。
【発明の詳細な説明】
【０００１】
【発明の属する技術分野】
本発明は、グラビア印刷機のインキパンに掛けるインキパンカバーに関するものである。
【０００２】
【従来の技術】
一般にグラビア印刷機のインキパンは、版胴から落下するインキを受けるパン部分と横に飛び散るインキを止める版サイド部分とを有している。そして、インキ交換時におけるインキパンの洗浄作業を省略するため印刷時にはインキパンを覆ってカバーを掛けることが行われているが、通常はパン部分と版サイド部分に別々のカバーが掛けられている。そして、パン部分をカバーするには、▲１▼フィルムコートされた紙をパン部分の上に載せる方法、▲２▼アルミ箔の貼り合わせられたフィルムをパン部分に乗せて手で沿わせる方法、▲３▼ポリプロピレン等の樹脂を成形したカバーを掛ける方法、▲４▼フィルムをパン部分に掛けてテープで固定する方法、等が採られている。また、版サイド部分をカバーするには、▲１▼フィルムコートされた紙を使用する方法、▲２▼テフロン加工された鉄板を使用して洗浄する方法、等が採られている。
【０００３】
【発明が解決しようとする課題】
しかしながら、このような従来のやり方では、インキパンのパン部分と版サイド部分に別々にカバーをしなければならず、予め複数種類のカバーを準備しなければならないことや、カバーの交換作業が煩わしいという問題点がある。
【０００４】
本発明は、上記のような問題点に鑑みてなされたものであり、その目的とするところは、カバー交換の作業を簡略化することのできるインキパンカバーを提供することにある。
【０００５】
【課題を解決するための手段】
上記の目的を達成するため、本発明に係るインキパンカバーは、パン部分とその両側の版サイド部分とからなるグラビア印刷機のインキパンに掛けるためのカバーであって、熱融着可能なフィルムを用いてヒートシールにより成形され、前記パン部分を覆う平坦状のパンカバー部とその両側に前記版サイド部分に被さる袋状のサイドカバー部とを備えてなることを特徴としている。そして、インキ循環を可能にするため、インキパンのインキドレイン部分に対応して前記パンカバー部にドレイン部を設けた構成にすることが望ましい。
【０００６】
【発明の実施の形態】
以下、実施例を挙げて本発明の実施形態について説明する。
【０００７】
図１は本発明に係るインキパンカバーの一例を装着直前の状態を示すものであり、このインキパンカバー１０は下方にあるインキパン２０に掛けて使用する。インキパン２０はグラビア印刷機用のもので、中央に向けて下がるように傾斜したパン部分２１とその両側の版サイド部分２２，２２とからなり、パン部分２１の中央にインキドレイン部分２３を有している。インキパンカバー１０は、インキパン２０のパン部分２１を覆うパンカバー部１１と、その両側に版サイド部分２２に被さる袋状のサイドカバー部１２，１２とを備え、さらにインキパン２０のインキドレイン部分２３に対応してパンカバー部１１に筒状のドレイン部１３が設けられている。
【０００８】
このインキパンカバー１０の作成手順は図２の工程図に示すようであり、熱融着可能な１枚のフィルムＦ1 と２枚の側面フィルムＦ2 を用いてヒートシールにより形成される。具体的には、まず図２（ａ）に示すように、パンカバー部１１となる矩形状をした大きめのフィルムＦ1 を準備し、これを２つ折りにしてシール部分ａをヒートシールした後、切取り部分ｂ，ｂを切り落とすことにより中央にドレイン部１３を形成する。次いで図２（ｂ）に示すように、２つ折りのフィルムＦ1 をシール部分ａで開き、サイドカバー部１２となる側面フィルムＦ2 をシール部分ａの上になるよう両側に乗せてシール部分ｃでヒートシールすることによりフィルムＦ1 に取り付ける。続いて図２（ｃ）に示すように、側面フィルムＦ2 を所定長さで折り返してから、インキパン２０の版サイド部分２２の形状に合わせるようにしてシール部分ｄ1 〜ｄ3 でヒートシールして袋状のサイドカバー部１２，１２を形成する。しかる後、Ｕ字状のシール部分ｄ3 の内側領域ｅを切り落とす。これによりインキパンカバー１０が作成される。
【０００９】
インキパンカバー１０は図２（ｃ）に示すものを畳んだ状態でストックしておき、使用時に際し、図１に示す如く所定形状にしてインキパン２０に掛ける。すなわち、パンカバー部１１であるフィルムＦ1 をインキパン２０のパン部分２１上で広げながら、サイドカバー部１２である側面フィルムＦ2 を起立させ、袋状になった各サイドカバー部１２をインキパン２０の版サイド部分２２にそれぞれ被せる。そして、パンカバー部１１の中央にあるドレイン部１３をインキパン２０のインキドレイン部分２３に突っ込むようにする。このようにしてインキパン２０にインキパンカバー１０を被せ、この状態で印刷を行うと、印刷中に飛び散るインキはインキパンカバー１０の上に落下する。また、落下したインキはドレイン部１３から排出されて循環される。そして、インキパンカバー１０の汚れがひどくなった時に、インキパン２０から外してそのまま廃棄し、新しいインキパンカバー１０を取り付ければよい。
【００１０】
なお、サイドカバー部１２におけるシール部分ｄ3 の内側領域ｅを切り落とさず、その両側に切込みを入れただけの形態にしてもよく、この場合は内側領域ｅを版サイド部分２２の内側に垂らしておけばよい。また、このインキパンカバー１０の変形として、フィルムＦ1 の前後の一方を長くしておき、ドクターエプロンとして使用するようにしてもよい。
【００１１】
図３は本発明に係るインキパンカバーの他の例を装着直前の状態で示すものであり、このインキパンカバー３０は下方にあるインキパン４０に掛けて使用する。インキパン４０もグラビア印刷機用のもので、１つのコーナーに向けて下がるように傾斜したパン部分４１とその両側の版サイド部分４２，４２とからなり、パン部分４１のコーナーに一部を切り欠いた形状のインキドレイン部分４３を有している。インキパンカバー３０は、インキパン４０のパン部分４１を覆う平坦部分３１ａ及びその前後に起立部分３１ｂを有するパンカバー部３１と、その両側に版サイド部分４２に被さる袋状のサイドカバー部３２，３２とを備え、さらにインキパン４０のインキドレイン部分４３に対応してパンカバー部３１の起立部分３１ｂに切欠状のドレイン部３３が設けられている。
【００１２】
インキパンカバー３０は使用前には図４に示す状態であり、１枚の熱融着性フィルムＦ3 を用いてヒートシールにより形成されている。具体的には、矩形状をしたフィルムＦ3 の両サイドを所定長さで折り返してから、インキパン４０の版サイド部分４２の形状に合わせるようにしてシール部分ｆ1 〜ｆ3 でヒートシールして袋状のサイドカバー部３２，３２を形成する。しかる後、Ｕ字状のシール部分ｆ3 の内側領域ｇを切り落とす。さらにインキドレイン部分４３に対応するところに平行な切込みｈを入れてドレイン部３３を形成する。これによりインキパンカバー３０が作成される。
【００１３】
インキパンカバー３０は図４に示すものを畳んだ状態でストックしておき、使用時に際し、図３に示す如く所定形状にしてインキパン４０に掛ける。すなわち、フィルムＦ3 のパンカバー部３１に相当する部分の前後を起こして起立部分３１ａを形成し、さらにサイドカバー部３２を起立させ、この状態でパンカバー部３１をインキパン４０のパン部分４１の中にセットしながら、袋状になった各サイドカバー部３２をインキパン４０の版サイド部分４２にそれぞれ被せる。そして、パンカバー部３１のコーナー寄りにある切欠ｈに挟まれた部分をインキパン４０のインキドレイン部分４３から外に垂らすようにする。このようにしてインキパン４０にインキパンカバー３０を被せ、この状態で印刷を行うと、印刷中に飛び散るインキはインキパンカバー３０の上に落下する。また、落下したインキはドレイン部３３から排出されて循環される。そして、インキパンカバー３０の汚れがひどくなった時に、インキパン４０から外してそのまま廃棄し、新しいインキパンカバー３０を取り付ければよい。
【００１４】
なお、サイドカバー部３２におけるシール部分ｆ3 の内側領域ｇを切り落とさず、その両側に切込みを入れただけの形態にしてもよく、この場合は内側領域ｇを版サイド部分４２の内側に垂らしておけばよい点は先の例の場合と同様である。また、このインキパンカバー３０の変形として、フィルムＦ3 の折返し部分以外において前後の一方を長くしておき、ドクターエプロンとして使用するようにしてもよい。
【００１５】
【発明の効果】
以上説明したように、本発明のインキカバーは、インキパンにおけるパン部分と版サイド部分とを一つのカバーで覆うようになっているため、カバー交換の作業を簡略化することができる。
【図面の簡単な説明】
【図１】本発明のインキパンカバーの一例を装着直前の状態で示す説明図である。
【図２】図１のインキパンカバーの作成手順を示す工程図である。
【図３】本発明のインキパンカバーの他の例を装着直前の状態で示す説明図である。
【図４】図３のインキパンカバーを広げた状態で示す斜視図である。
【符号の説明】
１０  インキパンカバー
１１  パンカバー部
１２  サイドカバー部
１３  ドレイン部
２０  インキパン
２１  パン部分
２２  版サイド部分
２３  インキドレイン部分
Ｆ1   フィルム
Ｆ2   側面フィルム
ａ  シール
ｂ  切取り部分
ｃ  シール部分
ｄ1 〜ｄ3   シール部分
ｅ  内側領域
３０  インキパンカバー
３１  パンカバー部
３１ａ  平坦部分
３１ｂ  起立部分
３２  サイドカバー部
３３  ドレイン部
４０  インキパン
４１  パン部分
４２  版サイド部分
４３  インキドレイン部分
Ｆ3   フィルム
ｆ1 〜ｆ3   シール部分
ｇ  内側領域
ｈ  切込み
【図１】
0003765611.tif 000002
【図２】
0003765611.tif 000003
【図３】
0003765611.tif 000004
【図４】
0003765611.tif 000005